(57)【特許請求の範囲】
【請求項１】
表示手段と、
前記表示手段を表示制御する制御手段と、
前記制御手段の動作プログラムあるいは前記表示手段に表示する画像データを少なくとも記憶する不揮発性メモリと、
端子配列の異なる第１接続端子と第２接続端子の何れとも接続可能な第３接続端子と、を備え、前記第３接続端子から前記不揮発性メモリの内容を書き換え可能な車両のインストルメントパネルに収容される車両用表示装置であって、
前記第３接続端子とは異なる第４接続端子と、前記不揮発性メモリへの書換え許可状態を保持する保持回路と、を備え、
前記制御手段は、前記保持回路に保持されている前記状態と前記第３接続端子に接続された前記接続端子の種別に応じて前記不揮発性メモリへの書換え可否を切り替え、
前記制御手段は、前記第４接続端子を介して通信された情報に基づいて前記保持回路に保持された前記状態を書き換える
ことを特徴とする車両用表示装置。
【請求項２】
前記制御手段は、前記第４接続端子を介して計測値を通信する、
ことを特徴とする請求項１に記載の車両用表示装置。
【請求項３】
前記制御手段は、前記第４接続端子を介して診断情報を通信する、
ことを特徴とする請求項１に記載の車両用表示装置。
【請求項４】
前記制御手段は、前記外部機器と通信するにあたって、一方が主となり制御を行い、他方が一方からの制御に従って動作を行う通信方式で通信するものであって、
前記制御手段は、前記第３接続端子に接続された前記接続端子の種別に応じて自身の主従を切り替えて通信する
ことを特徴とする請求項１乃至３の何れか１項に記載の車両用表示装置。
【請求項５】
前記制御手段は、前記第３接続端子を介して外部に電源を供給する
ことを特徴とする請求項４に記載の車両用表示装置。
【請求項６】
前記制御手段は、前記第４接続端子から入力されたリセット要求に応じて自らをリセットし、自身がリセットから復帰したときに、前記不揮発性メモリへの書換え可否を切り替える
ことを特徴とする請求項１乃至５の何れか１項に記載の車両用表示装置。
【発明の詳細な説明】
【技術分野】
【０００１】
本発明は、外部機器から不揮発性メモリを書換え可能な車両用表示装置に関する。
【背景技術】
【０００２】
従来、車両に搭載される車両用表示装置を、車両から取り外すことなく、表示に利用する画像データを可搬型記憶媒体を用いて書換え可能としたものが、特許文献１に開示されている。
【先行技術文献】
【特許文献】
【０００３】
【特許文献１】特開２００６−３３５０８０号公報
【発明の概要】
【発明が解決しようとする課題】
【０００４】
しかしながら、特許文献１に開示される車両用表示装置において、表示に利用する画像データだけでなく表示を制御する制御プログラムを書換え可能とする場合においては、保安上の改善の余地があった。
【０００５】
本発明は、上述した課題を鑑みてなされたものであり、外部機器から不揮発性メモリを書換え可能な車両用表示装置の保安性を高めることを目的とする。
【課題を解決するための手段】
【０００６】
本発明に係る車両用表示装置１は、
表示手段１０と、
前記表示手段１０を表示制御する制御手段１２と、
前記制御手段１２の動作プログラムあるいは前記表示手段１０に表示する画像データを少なくとも記憶する不揮発性メモリ１１と、
端子配列の異なる第１接続端子ＣＮ１と第２接続端子ＣＮ２の何れとも接続可能な第３接続端子ＣＮ３と、を備え前記第３接続端子ＣＮ３から前記不揮発性メモリ１１の内容を書き換え可能な車両のインストルメントパネル２に収容される車両用表示装置１であって、
前記第３接続端子ＣＮ３とは異なる第４接続端子ＣＮ４と、前記不揮発性メモリ１１への書換え許可状態を保持する保持回路１４と、を備え、
前記制御手段１２は、前記保持回路１４に保持されている前記状態と前記第３接続端子ＣＮ３に接続された前記接続端子の種別に応じて前記不揮発性メモリ１１への書換え可否を切り替え、
前記制御手段は、前記第４接続端子ＣＮ４を介して通信された情報に基づいて前記保持回路１４に保持された前記状態を書き換える。
【０００７】
また、本発明に係る車両用表示装置１は、
前記制御手段は、前記第４接続端子を介して計測値を通信する。
【０００８】
また、本発明に係る車両用表示装置１の
前記制御手段１２は、前記第４接続端子ＣＮ４を介して診断情報を通信する。
【０００９】
また、本発明に係る車両用表示装置１の
前記制御手段１２は、前記外部機器４と通信するにあたって、一方が主となり制御を行い、他方が一方からの制御に従って動作を行う通信方式で通信するものであって、
前記制御手段１２は、前記第３接続端子ＣＮ３に接続された前記接続端子の種別に応じて自身の主従を切り替えて前記外部機器４と通信する。
【００１０】
また、本発明に係る車両用表示装置１の
前記制御手段１２は、前記第３接続端子ＣＮ３を介して前記外部機器４に電源を供給する。
【００１１】
また、本発明に係る車両用表示装置１は、
前記制御手段１２は、前記第４接続端子ＣＮ４から入力されたリセット要求に応じて自らをリセットし、自身がリセットから復帰したときに、前記不揮発性メモリ１１への書換え可否を切り替える。
【発明の効果】
【００１２】
本発明によると、外部機器から不揮発性メモリを書換え可能な車両用表示装置の保安性が高まる。
【図面の簡単な説明】
【００１３】
【図１】本発明の第一実施形態である車両用表示装置の正面図。
【図２】同実施形態と接続する外部機器を示す図。
【図３】同実施形態の電気的構成を示す図。
【図４】同実施形態と接続する外部機器の接続端子配列を示す図。
【図５】同実施形態の制御手順を示す図。
【図６】本発明の第二実施形態の電気的構成を示す図。
【図７】同実施形態と接続する外部機器を示す図。
【図８】同実施形態の制御手順を示す図。
【発明を実施するための形態】
【００１４】
以下、図１から図８に基づいて、本発明を車両に搭載される車両用表示装置に適用した実施形態を説明する。
【００１５】
（第１実施形態）
本発明を適用した第１実施形態である車両用表示装置１は、図１に示すように、車両のインストルメントパネル２内にステアリング３を操作しつつ視認可能に組み込まれる。車両用表示装置１の表示手段１０には、車両の走行速度やエンジン回転数などの計測値を目盛や数字からなる指標と、指標を指示する指針と、を有する指針式計器が表示される。
【００１６】
車両用表示装置１は、表示手段１０と、不揮発性メモリ１１と、制御手段１２と、コネクタ（第３接続端子）ＣＮ３を備え、制御手段１２をリセットさせるリセットスイッチＳＷと、計測値を入力する車両情報入力手段ＬＡＮと電気的に接続している。コネクタＣＮ３は、インストルメントパネル２から露出しており、外部機器４が接続可能となっている。
【００１７】
車両情報入力手段ＬＡＮは、例えばＣＡＮ（Controller Area Network）からなり、車両用表示装置１に備えられたコネクタ（図示しない）にケーブルを接続して他の車載機器と相互に通信する通信路である。
【００１８】
表示手段１０は、例えば液晶ディスプレイや有機ＥＬディスプレイであり、制御手段１２の制御によって画像を表示する。
【００１９】
不揮発性メモリ１１は、例えばフラッシュメモリなどの電源が供給されていない間も記憶を保持することができるメモリである。不揮発性メモリ１１には、後述する制御手段１２の制御プログラムおよび表示手段１０に表示する画像データが予め記憶されており、制御手段１２の制御に応じて適宜データの読み書きがされる。
【００２０】
制御手段１２は、例えばマイクロコンピュータである。制御手段１２は、リセットスイッチＳＷを押下することによりリセット信号が端子１２１に入力されると、不揮発性メモリ１１に記憶されている制御プログラムを読み込んで起動する。制御手段１２は、起動すると車両情報入力手段ＬＡＮから入力される計測値を、不揮発性メモリ１１に記憶されている画像データを用いて計器画像を構成し、表示手段１０に表示させる。
【００２１】
コネクタＣＮ３は、端子Ｐ１〜Ｐ５を有し、図４に示す端子配列で構成されるコネクタ（第１接続端子）ＣＮ１とコネクタ（第２接続端子）ＣＮ２のいずれとも接続可能に構成される。
コネクタＣＮ３の端子Ｐ４と制御手段１２との間には、スリーステートインバータ（３状態反転回路）１３１とスリーステートバッファ（３状態緩衝器）１３２，１３３を有する論理回路１３を有し、制御手段１２は論理回路１３を介してコネクタＣＮ３に接続されたコネクタ種別を判別する。
制御手段１２は、コネクタＣＮ３に外部機器４が接続されると、一方が主となり他方が従となって、端子Ｐ２と端子Ｐ３を用いた差動伝送方式で相互に通信を行う。
【００２２】
制御手段１２は、コネクタＣＮ３に後述するコネクタ（第１接続端子）ＣＮ１を介して外部機器４が接続されると、自身が主となって外部機器４と相互に通信をする。コネクタＣＮ１を介して接続される外部機器４は、例えば各種アプリケーションを更新可能な多機能携帯電話４１や可搬型不揮発性メモリ４２であり、コネクタＣＮ１は、外部機器４に備えてもよいし、コネクタＣＮ１を有するケーブルあるいは変換コネクタを介してもよい。制御手段１２は、多機能携帯電話４１が再生している音楽曲情報を表示手段１０に表示させたり、多機能携帯電話４１が取得した地図情報を表示手段１０に表示させる、あるいは、可搬型不揮発性メモリ４２に記憶されている音楽曲情報を制御手段１２で再生すると共に表示手段１０に表示する、などのように、制御手段１２が外部機器４からコンテンツを得るものであってもよい。あるいは、制御手段１２から外部機器４へ車両の走行速度やエンジン回転数を入力し、外部機器４の表示画面に表示させるように、制御手段１２が外部機器４へコンテンツを提供するものであってもよい。また、制御手段１２は、端子１２２からコネクタＣＮ３の端子Ｐ１を介して、コネクタＣＮ１で接続した外部機器４に電源を供給する。
【００２３】
制御手段１２は、コネクタＣＮ３に後述するコネクタ（第２接続端子）ＣＮ２を介して外部機器４が接続されると、自身が従となって外部機器４と相互に通信をする。制御手段１２は外部機器４からの入力に応じて不揮発性メモリ１１に記憶されている制御プログラムや画像データを書換える。コネクタＣＮ２を介して接続される外部機器４は、例えば、車両用表示装置１の制御プログラムを書換え用プログラムを記憶した可搬型コンピュータであり、車両用表示装置１の制御プログラムに不備があった場合に、ディーラー等で修正プログラムを車両用表示装置１に上書きするために用いられる。また、コネクタＣＮ２は、外部機器４に備えてもよいし、コネクタＣＮ２を有するケーブルあるいは変換コネクタを介してもよい。
【００２４】
次に、制御手段１２の制御手順について図３から図５に基づいて説明する。
【００２５】
（ステップＳ０）
制御手段１２は、端子１２１にリセット信号が入力されてリセットされると、不揮発性メモリ１１に記憶されている制御プログラムを読み込んで起動する。
【００２６】
（ステップＳ１）
制御手段１２は、端子１２５からスリーステートインバータ（３状態反転回路）１３１とスリーステートバッファ（３状態緩衝器）１３２をイネーブル（Enable）にし、ステップＳ２に進む。
【００２７】
（ステップＳ２）
制御手段１２は、端子１２３と端子１２４に入力される信号状態からコネクタＣＮ３にコネクタＣＮ２を有する外部機器が接続されているか否かを判断する。コネクタＣＮ３の端子Ｐ４には、コネクタＣＮ１が接続されると正論理（電源電圧に近い電圧）Ｈが入力され、コネクタＣＮ２が接続されると負論理（零電圧に近い電圧）Ｌが入力され、端子１２３と端子１２４に入力される信号状態は、図３に示すように、スリーステートインバータ１３１とスリーステートバッファ１３２がディセーブル(disable)となっている間は、端子１１６に正論理Ｈが、端子１１７には負論理Ｌが入力される。スリーステートインバータ１３１とスリーステートバッファ１３２がイネーブルとなっている間に、コネクタＣＮ３にコネクタＣＮ２を有する外部機器が接続されていない（コネクタＣＮ３にコネクタＣＮ１を有する外部機器４が接続されている、あるいは、コネクタＣＮ３に何も接続されていない）場合においては、スリーステートインバータ１３１とスリーステートバッファ１３２がディセーブルとなっている間と同様に、端子１２３に正論理Ｈが、端子１２４には負論理Ｌが入力される。一方、スリーステートインバータ１３１とスリーステートバッファ１３２がイネーブルとなっている間に、コネクタＣＮ３にコネクタＣＮ２を有する外部機器が接続されると、端子１２３に負論理Ｌが入力され、端子１２４には正論理Ｈが入力される。これにより、制御手段１２は、コネクタＣＮ３にコネクタＣＮ２を有する外部機器が接続されているか否かを判断し、コネクタＣＮ３にコネクタＣＮ２を有する外部機器が接続されている場合（ステップＳ２：ＣＮ２）においては、ステップＳ５に進み、そうでない場合（ステップＳ２：ＣＮ１）においては、ステップＳ３に進む。
【００２８】
（ステップＳ３）
制御手段１２は、端子１２５からスリーステートインバータ１３１とスリーステートバッファ１３２をディセーブルにし、ステップＳ４に進む。
【００２９】
（ステップＳ４）
制御手段１２は、車両情報車両情報入力手段ＬＡＮから入力された計測値を計器画像として表示手段１０に表示させる。また、制御手段１２は、外部機器４１，４２が接続されると、制御手段１２から通信を開始し、外部機器４１，４２から入力されたコンテンツを計器画像と共に表示手段１０に表示させる。
【００３０】
（ステップＳ５）
制御手段１２は、端子１２５からスリーステートインバータ１３１とスリーステートバッファ１３２をディセーブルにし、ステップＳ６に進む。
【００３１】
（ステップＳ６）
制御手段１２は、外部機器４３が接続されると、自身が従となって外部機器４３から入力されるデータに基づいて不揮発性メモリ１１の内容を書き換える。また、制御手段１２は、不揮発性メモリ１１の内容を書き換える間、不揮発性メモリ１１への書換え中である旨とその進捗状況を表示手段１０に表示させ、不揮発性メモリ１１の内容を書き換え終わると、書換えを完了し制御手段１２をリセットして再起動させるように促すメッセージを表示手段１０に表示させる。
【００３２】
以上、第１実施形態の構成を説明した。このように構成することで、コネクタＣＮ３に接続されたコネクタＣＮ１，ＣＮ２の種別に応じて不揮発性メモリ１１に記憶された制御プログラムや画像データの書換えを切り替えることができるため、通常使用時（計器表示時）と、不揮発性メモリ１１に記憶された制御プログラムや画像データの書換え時におけるコネクタを共用化することができると共に、不揮発性メモリ１１に記憶された制御プログラムや画像データの書換え時を判別して不揮発性メモリ１１へのアクセスを許可／不許可に切り替えることができるため保安性が高まる。
【００３３】
（第２実施形態）
また、本発明を適用した第２実施形態である車両用表示装置１は、図６に示すように第１実施形態の構成に加え、コネクタ（第４接続端子）ＣＮ４と、ラッチ１４と、リセットＩＣ１５を備える。
【００３４】
ラッチ１４は、１ビットの情報を保持できるラッチ回路であり、不揮発性メモリ１１への書き込み許可／不許可の状態を保持する。ラッチ１４は、不揮発性メモリ１１への書き込み許可／不許可の状態を保持できるものであれば、フリップフロップ回路などであってもよい。
【００３５】
リセットＩＣ１５は、例えば電圧検出器を備えたボルテージディテクタからなり、制御手段１２の端子１２９の出力電圧に応じて端子１２１へリセット信号を出力する。リセットＩＣ１５は、遅延回路を有することが好ましい。
【００３６】
コネクタＣＮ４は、例えばステアリング３の脇下方のインストルメントパネル２の裏面側に位置し、車両の診断情報機能（ＯＢＤ：On-Board Diagnostics）から各種診断情報を取得する外部機器４４が接続される。外部機器４４は例えば可搬性コンピュータであって、コネクタＣＮ４に接続可能なコネクタ（第５接続端子）ＣＮ５を有してコネクタＣＮ４に接続する、あるいは、コネクタＣＮ２を有するケーブルあるいは変換コネクタを介してコネクタＣＮ４に接続する。
制御手段１２は、車両の診断情報機能を備え、外部機器４４が接続されると、外部機器４４へ各種診断情報を出力する。制御手段１２は、外部機器４４からの制御に応じて、ラッチ１４の情報を不揮発メモリ１１への書き込み許可する情報へ書換えできる。また、制御手段１２は、外部機器４４からの要求に応じて、端子１２９の出力を制御してリセットＩＣ１５からリセット信号を出力させて、自らをリセットする。
【００３７】
第２実施形態における制御手段１２の制御手順は、第１実施形態の制御手順ステップＳ６に代えて、ステップＳ７とステップＳ８としたものである。
【００３８】
制御手段１２の制御手順を、図８に基づいて、ステップＳ７から順に説明する。
【００３９】
（ステップＳ７）
制御手段１２は、ステップＳ５を終えた後、ラッチ１４に記憶されている状態が不揮発性メモリ１１への書き込み許可であるい場合（ステップＳ７：Ｙ）は、ステップＳ８に進み、そうでない場合（ステップＳ７Ｎ）は、表示手段１０に不揮発性メモリ１１への書き込みが許可されていない旨を表示し手順を終了する。
【００４０】
（ステップＳ８）
制御手段１２は、自身が従となって外部機器４３から入力されるデータに基づいて不揮発性メモリ１１の内容を書き換える。また、制御手段は、不揮発性メモリ１１の内容を書き換える間、不揮発性メモリ１１への書換え中である旨とその進捗状況を表示手段１０に表示させ、不揮発性メモリ１１の内容を書き換え終わると、書換えを完了し制御手段１２をリセットして再起動させるように促すメッセージを表示手段１０に表示させると共に、ラッチ１４に不揮発性メモリ１１への書き込み不許可の状態を記憶させる。
【００４１】
以上、第２実施形態の構成を説明した。このように構成することで、コネクタＣＮ３とは異なるコネクタＣＮ４を介してラッチ１４に記憶された状態を不揮発性メモリ１１への書き込み許可と書換えなければ、コネクタＣＮ３にコネクタＣＮ１を有する外部機器４を接続しても不揮発性メモリ１１の内容を書き換えることができないため、保安性が高まる。また、コネクタＣＮ４は、車両用表示装置が備えるべき車両の診断情報を送信するためのコネクタと兼用することで、コネクタ数を増やさず保安性を高めることができる。
【００４２】
以上、本発明を適用した第１実施形態および第２実施形態を説明したが、本発明はこれに限定されるものではなく、他の構成においても、本発明の要旨を逸脱しない範囲において種々の改良、並びに設計の変更が可能である。
【００４３】
例えば、第２実施形態において、ラッチ１４は車両の診断情報機能（ＯＢＤ：On-Board Diagnostics）から各種診断情報を取得する外部機器４４によって内容を書換え可能としていたが、これに限らず車両情報入力手段ＬＡＮを介して書換え可能に構成してもよい。
【００４４】
また、車両用表示装置１は車両のバッテリに接続されて安定的に電源が供給されていることから、制御手段１２が不揮発性メモリ１１への書き込みを行う外部機器４３に対して電源供給を行うようにして、外部機器４３が不揮発性メモリ１１への書換え処理中に電源不足に陥って書換え処理が中断してしまう虞を低減することが好ましい。
【産業上の利用可能性】
【００４５】
本発明は、車両に搭載される車両用表示装置として好適である。
【符号の説明】
【００４６】
１      ：車両用表示装置
１０    ：表示手段
１１    ：不揮発性メモリ
１２    ：制御手段
１３    ：論理回路
１４    ：ラッチ
１５    ：リセットＩＣ
２      ：インストルメントパネル
３      ：ステアリング
４      ：外部機器
ＣＮ１  ：コネクタ（第１接続端子）
ＣＮ２  ：コネクタ（第２接続端子）
ＣＮ３  ：コネクタ（第３接続端子）
ＣＮ４  ：コネクタ（第４接続端子）
ＬＡＮ  ：車両情報取得手段
ＳＷ    ：リセットスイッチ
【図１】
0006380795.tif 000002
【図２】
0006380795.tif 000003
【図３】
0006380795.tif 000004
【図４】
0006380795.tif 000005
【図５】
0006380795.tif 000006
【図６】
0006380795.tif 000007
【図７】
0006380795.tif 000008
【図８】
0006380795.tif 000009